(57)【要約】【課題】  エスカレータの上部または下部でステップを外して清掃装置を着脱することなく連続して繰り返し清掃を行うことを可能とし、作業性の改善を行う。【解決手段】  エスカレータ乗客コンベアのステップに組み込み、乗客コンベア下部に敷設されたオイルパン清掃装置１において、ステップに取り付けられた２つの前輪軸２Ａ，２Ｂに対して、一端が前輪軸２Ａに回転自在であり、他端が前輪軸２Ｂに対して回転自在かつ長手方向に移動可能として設けられた固定用アーム８と、前輪軸２Ａに回転自在に取り付けられた清掃ブラシアーム３，４，５と、清掃ブラシアームの前輪軸２Ａに対して反対側に取り付けられた清掃ブラシ１２と、を備え、エスカレータの反転部で清掃ブラシアームは回動角度が制限され、固定用アーム８に格納される。【選択図】図１
2008222402.tif 000002
【特許請求の範囲】
【請求項１】
エスカレータの乗客コンベアのステップに組み込み、乗客コンベア下部に敷設されたオイルパンの清掃を行うオイルパン清掃装置において、
前記ステップに取り付けられた２つの前輪軸に対して、一端が一方の前記前輪軸に回転自在であり、他端が他方の前記前輪軸に対して回転自在かつ長手方向に移動可能として設けられた固定用アームと、
前記一方の前輪軸に回転自在に取り付けられた清掃ブラシアームと、
前記清掃ブラシアームの前記一方の前輪軸に対して反対側に取り付けられた清掃ブラシと、
を備え、前記エスカレータの反転部で前記清掃ブラシアームは回動角度が制限され、前記固定用アームに格納されることを特徴とするオイルパン清掃装置。
【請求項２】
請求項１に記載のものにおいて、前記清掃ブラシアームの回動角度の制限は、前記飛出し制御カムと前記飛び出し制御アームによって行われることを特徴とするオイルパン清掃装置。
【請求項３】
請求項１に記載のものにおいて、前記固定用アームに回転自在に設けられた飛び出し制御カムと、前記飛出し制御カムのカム面に当接する接触部を有し前記固定用アームに飛び出し制御ギヤを中心として回転自在に取り付けられた飛び出し制御アームと、前記飛び出し制御ギヤと噛み合い前記清掃ブラシアームに設けられた駆動側清掃ブラシアームギヤと、を備え、前記制御カムのカム面は大径部と小径部を有し、前記小径部側に重量を付加されていることを特徴とするオイルパン清掃装置。
【請求項４】
請求項１に記載のものにおいて、前記清掃ブラシアームは、前記オイルパンの斜面部では前記清掃ブラシが前記オイルパンに押し付けられるように回動することを特徴とするオイルパン清掃装置。
【請求項５】
請求項１に記載のものにおいて、前記清掃ブラシは前記オイルパンの斜面部では前記清掃ブラシアーム及び前記清掃ブラシの自重により前記オイルパンに押し付けられることを特徴とするオイルパン清掃装置。
【発明の詳細な説明】
【技術分野】
【０００１】
本発明はエスカレータや動く歩道道路などの乗客コンベアの下部に設置されるオイルパン清掃装置に関する。
【背景技術】
【０００２】
エスカレータのステップにオイルパン表面を摺擦するための清掃器具を取り付け、清掃器具を弾性変形可能な板バネの先端に取り付けることにより、清掃器具をオイルパン表面に追従させることが知られ、例えば、特許文献１に記載されている。
【０００３】
【特許文献１】特開平５−３１９７６８号公報
【発明の開示】
【発明が解決しようとする課題】
【０００４】
上記オイルパン清掃装置では、単に、ステップに清掃器具を取り付けているため、清掃器具が取り付けられたステップが上部反転部及び下部反転部を通過する際に支障が生じ、ステップから清掃器具を着脱する作業が発生する。したがって、繰り返し清掃を行う場合、エスカレータを連続運転して清掃を行うことが困難なため、作業性が悪く、オイルパン清掃作業にかなりの時間を必要としている。
【０００５】
本発明の目的は、上記従来の課題を解決し、エスカレータの上部または下部でステップを外して清掃装置を着脱することなく連続して繰り返し清掃を行うことを可能とし、作業性の改善と共に、オイルパン全域での頻繁かつ入念な清掃により、発火，発煙事故等の恐れをなくすことにある。
【課題を解決するための手段】
【０００６】
上記課題を解決するため、本発明は、エスカレータの乗客コンベアのステップに組み込み、乗客コンベア下部に敷設されたオイルパンの清掃を行うオイルパン清掃装置において、前記ステップに取り付けられた２つの前輪軸に対して、一端が一方の前記前輪軸に回転自在であり、他端が他方の前記前輪軸に対して回転自在かつ長手方向に移動可能として設けられた固定用アームと、前記一方の前輪軸に回転自在に取り付けられた清掃ブラシアームと、前記清掃ブラシアームの前記一方の前輪軸に対して反対側に取り付けられた清掃ブラシと、を備え、前記エスカレータの反転部で前記清掃ブラシアームは回動角度が制限され、前記固定用アームに格納されるものである。
【発明の効果】
【０００７】
本発明によれば、エスカレータの反転部で清掃ブラシが格納されるので、ステップを外して清掃装置を着脱することなく連続して繰り返し清掃を行うことができる。
【発明を実施するための最良の形態】
【０００８】
以下、図面を参照して本発明の一実施の形態を説明する。図１はオイルパン清掃装置の全体を示した図、図２，図３はオイルパン清掃装置の動作を説明するための図、図４はオイルパン清掃装置をエスカレータに取り付けた状態を説明するための図である。  
図４は、オイルパン清掃装置１を取り付けた状態を示す側面図であり、オイルパン清掃装置１は、複数のステップ１６のうち２つを取り外し、隣接する２つのステップの前輪軸
２Ａ及び前輪軸２Ｂに取り付ける。
【０００９】
オイルパン清掃装置１は、隣接する２つのステップの前輪軸２Ａ及び前輪軸２Ｂに取り付けられる固定用アーム８と、前輪軸２Ａに回転自在かつ略平行に取り付けられる被動側清掃ブラシアーム３及び駆動側清掃ブラシアーム４と、被動側清掃ブラシアーム３及び駆動側清掃ブラシアーム４を介して前輪軸２Ａを中心に揺動する清掃ブラシ１２と、が設けられる。また、清掃ブラシ１２との接続に対して駆動側清掃ブラシアーム４の長手方向逆端に配された駆動側清掃ブラシアームギヤ５に噛み合うように取り付けられた飛び出し制御アームギヤ７を一端に配し、その中心を通る軸で固定用アーム８に回転自在に取り付けられた飛び出し制御アーム６と、飛び出し制御アーム６の飛び出し制御アームギヤ７の配された一端と長手方向逆端で接触し、固定用アーム８に回転自在に取り付けられた飛び出し制御カム１０を有している。
【００１０】
隣接する２つのステップの前輪軸２同士は、オイルパン上部水平部１３Ａ，オイルパン斜面部１３Ｂ，オイルパン下部水平部１３Ｃのどの状態においても、オイルパンと略平行に保たれる。従って、前輪軸２を２つ用いてオイルパン清掃装置１を取り付ければ、オイルパン上部水平部１３Ａ，オイルパン斜面部１３Ｂ，オイルパン下部水平部１３Ｃのどの状態においてもオイルパンに対して略平行に保たれる。  
また、前輪軸２同士の軸間距離は、上部反転部１４Ａ及び下部反転部１４Ｂを通過する時、水平部１４Ｃ及び斜面部１４Ｄの時よりも短くなる。そこで、固定用アーム８と前輪軸２Ｂとの接続部は、固定用アーム８の長手方向と平行に長穴９になっており、軸間距離の相違を吸収する。
【００１１】
図２−ａに示す飛び出し制御カム１０は小径部１１Ｂに重量を付加されており、重力によって小径部１１Ｂが常に下側になるように作動する。また、飛び出し制御カム１０は、飛び出し制御アーム６の一端と接触し、飛び出し制御アーム６の揺動角度を、飛び出し制御アーム６が大径部１１Ａと接触する時（図２−ｂ）と、小径部１１Ｂと接触する時（図２−ｃ）の間に制限する。  
飛び出し制御アーム６は、飛び出し制御カム１０によって揺動角度を制限され、また、飛び出し制御アーム６の一端に配された飛び出し制御アームギヤ７と駆動側清掃ブラシアーム４の一端に配された駆動側清掃ブラシアームギヤ５が噛み合って作動することにより、駆動側清掃ブラシアーム４の揺動角度を制限する。なお、飛び出し制御アームギヤ７と駆動側清掃ブラシアームギヤ５のギヤ比を変えることで、駆動側清掃ブラシアーム４の揺動角度範囲を変更することが可能である。
【００１２】
清掃ブラシ１２は、ナイロン等で構成し適当な弾性を備えており、オイルパン上に段差が存在しても、スムーズに乗り越えることが可能で、また、同部における塵埃もオイルパン上の凹凸に沿って倣うように動作するため取りこぼしなく清掃することができる。
【００１３】
次に、図２を参照してオイルパン清掃装置１の動作を説明する。なお、図４中の（ａ）〜（ｅ）はそれぞれ図２中の（ａ）〜（ｅ）の位置を示している。  
オイルパン清掃装置１は、図２の(ａ)の状態、すなわち、往路側１５Ａの斜面部１４Ｄにて、２つの隣接するステップを取り外した後、そのステップが取り付けられていた前輪軸２Ａ及び前輪軸２Ｂに取り付けられる。
【００１４】
その後、ステップが往路側１５Ａで上部へ走行する方向へエスカレータを駆動させる。図２（ｂ）は、上部反転部１４Ａをオイルパン清掃装置１が通過する状態を示している。このとき、被動側清掃ブラシアーム３及び駆動側清掃ブラシアーム４及び清掃ブラシ１２には自重と遠心力により飛び出そうとする力ｆが発生するが、駆動側ブラシアームギヤ５とかみあって作動する飛び出し制御アームギヤ７を介して飛び出し制御アーム６が飛び出し制御カム１０に動作を制限され、駆動側清掃ブラシアーム４も動作を制限される。
【００１５】
図２（ｃ）は、清掃ブラシ１２を展開しオイルパンの清掃を行っている状態を示している。清掃ブラシ１２は、被動側清掃ブラシアーム３及び駆動側清掃ブラシアーム４及び清掃ブラシ１２の自重によりオイルパンに押し付けられ、清掃ブラシ１２でオイルパン表面を摺擦することで清掃を行う。オイルパン表面から剥離した塵埃は清掃ブラシ１２によってオイルパン下部水平部１３Ｃに運ばれる。
【００１６】
図２（ｄ）はオイルパン清掃装置１がオイルパン下部水平部１３Ｃを通過した後に下部反転部１４Ｂを通過する状態を示している。被動側清掃ブラシアーム３，駆動側清掃ブラシアーム４及び清掃ブラシ１２は自重により図２（ｅ）の様に格納される。
【００１７】
以上、エスカレータ本体にオイルパン清掃装置１を組み込んだ後、上部反転部１４Ａや下部反転部１４Ｂでの着脱を要さず、清掃ブラシ１２等が格納されるので、往路側１５Ａを上部へ走行させる方向に連続運転するだけで、オイルパン上の塵埃をオイルパン下部水平部１３Ｃへ集積することができる。また、被動側清掃ブラシアーム３，駆動側清掃ブラシアーム４，清掃ブラシアーム１２の展開・収納はエスカレータの連続運転を行うだけで繰り返し作動するため、特別な動力を要さず、余計な動力の使用をなくすことができる。
【図面の簡単な説明】
【００１８】
【図１】本発明による一実施の形態のオイルパン清掃装置を示す斜視図。
【図２】一実施の形態である飛び出し制御カムの形状を示す平面図。
【図３】一実施の形態であるオイルパン清掃装置の動作説明図。
【図４】一実施の形態であるオイルパン清掃装置をエスカレータに取り付けた状態を示す側面図。
【符号の説明】
【００１９】
１  オイルパン清掃装置
２  前輪軸
２Ａ  前輪軸Ａ
２Ｂ  前輪軸Ｂ
３  被動側清掃ブラシアーム
４  駆動側清掃ブラシアーム
５  駆動側清掃ブラシアームギヤ
６  飛び出し制御アーム
７  飛び出し制御アームギヤ
８  固定用アーム
９  長穴
１０  飛び出し制御カム
１１Ａ  大径部
１１Ｂ  小径部
１２  清掃ブラシ
１３Ａ  オイルパン上部水平部
１３Ｂ  オイルパン斜面部
１３Ｃ  オイルパン下部水平部
１４Ａ  上部反転部
１４Ｂ  下部反転部
１４Ｃ  水平部
１４Ｄ  斜面部
１５Ａ  往路側
１５Ｂ  復路側
１６  ステップ
【図１】
2008222402.tif 000003
【図２】
2008222402.tif 000004
【図３】
2008222402.tif 000005
【図４】
2008222402.tif 000006